(57)【要約】【課題】  車載機器のリモート操作の実行を簡素な構成で適切に行うことにある。【解決手段】  車両使用者による操作端末の操作に従ってその操作端末からセンタを経由して車両に対して車載機器のリモート操作が要求されることにより、その車載機器のリモート操作が実行される遠隔操作システムにおいて、センタ１４に、一旦車載機器のリモート操作が要求された後の新たな車載機器のリモート操作要求を、操作端末１２からの先の車載機器のリモート操作要求を示す指示をセンタ１４が受信した後、車載機１０からの先の車載機器のリモート操作要求に基づくリモート操作の結果をセンタ１４が受信するまでの期間、拒否させる。【選択図】  図５
2007074017.tif 000002
【特許請求の範囲】
【請求項１】
車両使用者による操作端末の操作に従って該操作端末から車両に対して車載機器のリモート操作が要求されることにより、該車載機器のリモート操作を実行する遠隔操作システムであって、
車載機器のリモート操作が要求された後の所定期間は、新たな車載機器のリモート操作の要求を拒否することを特徴とする遠隔操作システム。
【請求項２】
前記新たな車載機器のリモート操作要求の拒否は、前記操作端末において行われることを特徴とする請求項１記載の遠隔操作システム。
【請求項３】
前記操作端末は、車両又は該操作端末と車両との間に介在するセンタが先になされた車載機器のリモート操作要求を受け付けた後に送信する応答通知を受信するまで、前記新たな車載機器のリモート操作要求を拒否することを特徴とする請求項２記載の遠隔操作システム。
【請求項４】
前記操作端末は、前記新たな車載機器のリモート操作要求の拒否として、操作画面への入力操作を禁止することを特徴とする請求項２又は３記載の遠隔操作システム。
【請求項５】
前記新たな車載機器のリモート操作要求の拒否は、前記操作端末と車両との間に介在するセンタにおいて行われることを特徴とする請求項１記載の遠隔操作システム。
【請求項６】
前記センタは、車両が先になされた車載機器のリモート操作要求を受け付けた後に送信する応答通知を受信するまで、前記新たな車載機器のリモート操作要求を拒否することを特徴とする請求項５記載の遠隔操作システム。
【請求項７】
前記新たな車載機器のリモート操作要求の拒否は、車両において行われることを特徴とする請求項１記載の遠隔操作システム。
【請求項８】
車両は、先になされた車載機器のリモート操作要求の受け付けが完了するまで、前記新たな車載機器のリモート操作要求を拒否することを特徴とする請求項７記載の遠隔操作システム。
【請求項９】
車両は、先になされた車載機器のリモート操作要求を受信した後、該先になされた車載機器のリモート操作を実行するうえで必要な前提条件が成立するか否かの判定が完了するまで、前記新たな車載機器のリモート操作要求を拒否することを特徴とする請求項７又は８記載の遠隔操作システム。
【請求項１０】
前記新たな車載機器のリモート操作要求が拒否された場合、該新たな車載機器のリモート操作要求の拒否の旨を前記操作端末と車両との間に介在するセンタに通知することを特徴とする請求項７乃至９の何れか一項記載の遠隔操作システム。
【請求項１１】
前記新たな車載機器のリモート操作要求が拒否された場合、該新たな車載機器のリモート操作要求の拒否の旨を前記操作端末に通知することを特徴とする請求項５乃至１０の何れか一項記載の遠隔操作システム。
【発明の詳細な説明】
【技術分野】
【０００１】
本発明は、遠隔操作システムに係り、特に、車両使用者による操作端末の操作に従って操作端末から車両に対して車両に搭載された車載機器のリモート操作が要求されることにより、その車載機器のリモート操作を行ううえで好適な遠隔操作システムに関する。
【背景技術】
【０００２】
従来から、車両使用者が自己の所持する操作端末で所定操作を行うことにより、車両に搭載される例えば車両ドアの施解錠などの車載機器の遠隔的な駆動（リモート操作）を行う遠隔操作システムが知られている（例えば、特許文献１参照）。このシステムは、車両使用者に所持される携帯電話機などの操作端末と、リモート操作可能な車載機器を搭載する車両の有する車載機と、操作端末と車載機との間の情報管理を行うセンタと、を備えている。このシステムにおいて、車両使用者により車載機器のリモート操作を要求する操作が操作端末で行われると、その操作端末からセンタへその車載機器のリモート操作を要求する旨が送信される。センタは、操作端末からのリモート操作要求を受信すると、車両に対してその車載機器の駆動を要求するリモート操作コマンドを送信する。そして、車両は、センタからのリモート操作コマンドを受信すると、その要求に従ってその車載機器のリモート操作を実行する。従って、上記のシステムによれば、車両使用者が車両から位置的に離れている場合においても、操作端末を操作することによって遠隔的に、車両に搭載された車載機器をリモート操作することが可能となっている。
【特許文献１】特開２００３−４１８２１号公報
【発明の開示】
【発明が解決しようとする課題】
【０００３】
しかしながら、短期間のうちに同一の車載機器に対する相反するリモート操作要求や同一のリモート操作要求が複数の操作端末や同じ操作端末によりなされた場合に、これら複数のリモート操作要求のすべてに応答してそれぞれ車載機器のリモート操作を実行すべきものとすると、車載機器の状態が、結果として、操作端末で車載機器のリモート操作要求のための操作を行った者の意に反するものとなるおそれがある。
【０００４】
また、短期間のうちに車載機器のリモート操作要求が複数行われた場合に、これら複数のリモート操作要求のすべてに応答してそれぞれ車載機器のリモート操作を実行すべきものとすると、すべてのリモート操作を行うのに後発のリモート操作要求を示すコマンドをその実行時まで記憶することが必要となると共に、そのリモート操作を順序よく実行することが必要となるので、メモリ使用量の増大や制御ロジックの複雑化などの事態を招くこととなる。
【０００５】
本発明は、上述の点に鑑みてなされたものであり、車載機器のリモート操作の実行を簡素な構成で適切に実行させることが可能な遠隔操作システムを提供することを目的とする。
【課題を解決するための手段】
【０００６】
上記の目的は、車両使用者による操作端末の操作に従って該操作端末から車両に対して車載機器のリモート操作が要求されることにより、該車載機器のリモート操作を実行する遠隔操作システムであって、車載機器のリモート操作が要求された後の所定期間は、新たな車載機器のリモート操作の要求を拒否する遠隔操作システムにより達成される。
【０００７】
この態様の発明において、一の車載機器のリモート操作が要求された後の所定期間内に、別の新たな車載機器のリモート操作の要求は拒否される。このため、短期間のうちに不意に複数のリモート操作要求がなされても、後の新たな車載機器のリモート操作要求は拒否されるので、車載機器の状態が車両使用者の意に反するものとなるのを抑制することができると共に、複数のリモート操作要求のコマンドを同時に記憶することは不要であるので、メモリ使用量の削減及び制御ロジックの簡略化を図ることができる。
【０００８】
尚、上記した遠隔操作システムにおいて、前記新たな車載機器のリモート操作要求の拒否は、前記操作端末において行われることとしてもよい。かかる構成によれば、新たな車載機器のリモート操作が要求されても、操作端末から車両側へ向けてそのリモート操作が要求された旨の通知を行うことは不要であるので、無駄な通信の削減を図ることが可能になる。
【０００９】
この場合、前記操作端末は、車両又は該操作端末と車両との間に介在するセンタが先になされた車載機器のリモート操作要求を受け付けた後に送信する応答通知を受信するまで、前記新たな車載機器のリモート操作要求を拒否することとしてもよく、また、前記操作端末は、前記新たな車載機器のリモート操作要求の拒否として、操作画面への入力操作を禁止することとしてもよい。
【００１０】
また、上記した遠隔操作システムにおいて、前記新たな車載機器のリモート操作要求の拒否は、前記操作端末と車両との間に介在するセンタにおいて行われることとしてもよい。かかる構成によれば、新たな車載機器のリモート操作が要求されても、センタから車両側へ向けてそのリモート操作が要求された旨の通知を行うことは不要であるので、無駄な通信の削減を図ることが可能になる。
【００１１】
この場合、前記センタは、車両が先になされた車載機器のリモート操作要求を受け付けた後に送信する応答通知を受信するまで、前記新たな車載機器のリモート操作要求を拒否することとしてもよい。
【００１２】
更に、上記した遠隔操作システムにおいて、前記新たな車載機器のリモート操作要求の拒否は、車両において行われることとしてもよい。
【００１３】
この場合、車両は、先になされた車載機器のリモート操作要求の受け付けが完了するまで、前記新たな車載機器のリモート操作要求を拒否することとしてもよく、また、車両は、先になされた車載機器のリモート操作要求を受信した後、該先になされた車載機器のリモート操作を実行するうえで必要な前提条件が成立するか否かの判定が完了するまで、前記新たな車載機器のリモート操作要求を拒否することとしてもよい。
【００１４】
ところで、上記した遠隔操作システムにおいて、前記新たな車載機器のリモート操作要求が拒否された場合、該新たな車載機器のリモート操作要求の拒否の旨を前記操作端末と車両との間に介在するセンタに通知することとしてもよい。
【００１５】
また、上記した遠隔操作システムにおいて、前記新たな車載機器のリモート操作要求が拒否された場合、該新たな車載機器のリモート操作要求の拒否の旨を前記操作端末に通知することとしてもよい。
【発明の効果】
【００１６】
本発明によれば、車載機器のリモート操作の実行を簡素な構成で適切に行うことができる。
【発明を実施するための最良の形態】
【００１７】
以下、図面を用いて、本発明の具体的な実施の形態について説明する。
【実施例１】
【００１８】
図１は、本発明の第１実施例である遠隔操作システムの構成図を示す。本実施例のシステムは、車両に搭載される車載機１０と、その車両の運転者や所有者などの正規の車両使用者に所持・携帯される携帯電話やパソコン，ＰＤＡ等の操作端末１２と、車載機１０と操作端末１２との間における情報を管理するセンタ１４と、により構成されている。本実施例の遠隔操作システムは、特に車両使用者の降車後に、正規の車両使用者により操作端末１２が操作されることにより、車両に搭載される車載機器を遠隔的に駆動させるリモート操作を実行するためのシステムである。尚、操作端末１２は、一車両に付き１つであってもよいが、複数であってもよい。
【００１９】
車載機１０は、各種制御を統括するコンピュータを主体に構成された車両用電子制御ユニット（以下、車載ＥＣＵと称す）２０を備えている。車載ＥＣＵ２０は、ＲＯＭなどの記憶装置に予め格納されたソフトウェアプログラムに従って動作する。車載ＥＣＵ２０は、自車両の識別情報及び上記したセンタ１４の電話番号やＵＲＬなどを格納する記憶装置を有している。車載ＥＣＵ２０には、所定の通信ネットワークを通じてセンタ１４と無線通信を行うことが可能なデータ通信モジュール（ＤＣＭ）などの送受信機２２が接続されている。送受信機２２は、車載機１０の情報を通信ネットワークを介してセンタ１４へ送信する機能、及び、センタ１４から通信ネットワークを介して送信される情報を車載機１０に受信する機能を有している。車載ＥＣＵ２０は、送受信機２２との間で送信データ及び受信データの授受を行う。
【００２０】
車載ＥＣＵ２０には、車両に搭載される車載機器を駆動するユニットとして、エンジン始動ＥＣＵ２４、ウィンドウ開閉ＥＣＵ２６、ドア制御ＥＣＵ２８、及びハザードＥＣＵ３０が接続されている。車載ＥＣＵ２０は、後に詳述する如く、センタ１４から送信された車載機器を駆動させるためのリモート操作コマンドが送受信機２２で受信された場合に、適宜、エンジン始動ＥＣＵ２４、ウィンドウ開閉ＥＣＵ２６、ドア制御ＥＣＵ２８、又はハザードＥＣＵ３０に対してその機能を発揮させるための指令を行う。
【００２１】
エンジン始動ＥＣＵ２４には車両動力であるエンジンを始動させる始動モータ３２が、ウィンドウ開閉ＥＣＵ２６には各車両ドアに設けられたウィンドウを開閉するパワーウィンドウモータ３４が、ドア制御ＥＣＵ２８には各車両ドアを施解錠するドアロックモータ３６が、また、ハザードＥＣＵ３０には、車両のハザードライトを点滅させるハザードフラッシャリレー３８が、それぞれ接続されている。
【００２２】
エンジン始動ＥＣＵ２４、ウィンドウ開閉ＥＣＵ２６、ドア制御ＥＣＵ２８、及びハザードＥＣＵ３０はそれぞれ、車載ＥＣＵ２０から当該車載機器をリモート操作させるための指令が供給された場合に、始動モータ３２、パワーウィンドウモータ３４、ドアロックモータ３６、又はハザードフラッシャリレー３８を駆動することにより、エンジンを始動させ、ウィンドウの開若しくは閉を行い、車両ドアをロック若しくはアンロックさせ、又は、ハザードライトを点滅若しくは消灯させる。
【００２３】
操作端末１２は、電子制御ユニット（以下、携帯ＥＣＵと称す）４０を備えている。携帯ＥＣＵ４０は、コンピュータを搭載し、ＲＯＭなどの記憶装置に予め格納されたソフトウェアプログラムに従って動作する。携帯ＥＣＵ４０は、自操作端末１２に対応する車両（車載機１０）の識別情報及び自操作端末１２の識別情報並びに上記したセンタ１４の電話番号やＵＲＬなどを格納する記憶装置を有している。携帯ＥＣＵ４０には、所定の通信ネットワークを通じてセンタ１４と無線通信を行うことが可能な送受信機４２が接続されている。送受信機４２は、操作端末１２側の情報を通信ネットワークを介してセンタ１４へ送信する機能、及び、センタ１４から通信ネットワークを介して送信される情報を操作端末１２に受信する機能を有している。携帯ＥＣＵ４０は、送受信機４２との間で送信データ及び受信データの授受を行う。
【００２４】
携帯ＥＣＵ４０には、車両使用者により手動入力操作されると共に、車両使用者へ向けて表示出力や音声出力を行う入出力部４４が接続されている。操作端末１２は、ｗｅｂブラウザを有しており、入出力部４４への入力操作により通信ネットワークを介して外部のｗｅｂサーバに蓄積されたファイルやデータ等を閲覧可能であり、センタ１４の提供する各種の情報具体的には後述の車載機器のリモート操作を要求するためのｗｅｂ画面を取得可能である。
【００２５】
また、センタ１４は、高速演算可能なホストコンピュータ５０を備えている。ホストコンピュータ５０は、ＲＯＭなどの記憶装置に予め格納されたソフトウェアプログラムに従って動作する。ホストコンピュータ５０には、大容量のデータベース５２が接続されている。データベース５２には、センタ１４を利用する利用者である車両の正規使用者ごとにその識別情報や操作端末１２のメールアドレス，電話番号及び車両の識別情報や電話番号などの顧客情報が格納されている。
【００２６】
センタ１４のホストコンピュータ５０には、所定の通信ネットワークを通じて車載機１０及び操作端末１２と無線通信を行うことが可能な送受信機５４が接続されている。送受信機５４は、センタ１４側の情報を通信ネットワークを介して車載機１０及び操作端末１２へ送信する機能、並びに、車載機１０及び操作端末１２から通信ネットワークを介して送信される情報をセンタ１４に受信する機能を有している。センタ１４のホストコンピュータ５０は、送受信機５４との間で送信データ及び受信データの授受を行う。
【００２７】
以下、本実施例の遠隔操作システムの動作について説明する。図２は、本実施例の遠隔操作システムにおいて実行される制御ルーチンの一例のフローチャートを示す。
【００２８】
車両使用者は、特に降車後、車両から離れた地点で、盗難防止や操作忘れ対処，車内温度の上昇抑制等のため、エンジンを始動させること、車両ドアのウィンドウを開いている状態から完全に若しくはある程度閉じる若しくは開放すること、車両ドアを施錠若しくは解錠させること、又は、ハザードライトの点滅若しくは消灯を希望する場合、操作端末１２の入出力部４４を操作してｗｅｂブラウザを起動させる。
【００２９】
センタ１４は、操作端末１２の操作によって遠隔的に車両の有する車載機器をリモート操作させるのに必要なフォーマットを格納している。操作端末１２は、ｗｅｂブラウザを起動した状態で車両使用者による所定操作が行われた場合に、センタ１４と通信ネットワークを介して無線通信接続して、センタ１４の有するリモート操作を要求するためのｗｅｂ画面を提供するようにセンタ１４に要求する。センタ１４は、操作端末１２からの上記要求を受けた場合、リモート操作を要求するためのｗｅｂ画面を操作端末１２に提供する。操作端末１２は、上記の処理に従ってセンタ１４からリモート操作を要求するためのｗｅｂ画面を取得する。
【００３０】
このｗｅｂ画面には、操作端末１２の操作によって遠隔制御することが可能な車載機器のリモート操作の項目が設けられている。操作端末１２は、遠隔制御可能な車載機器のリモート操作の項目ごとに設けられたチェックボックスにおけるチェックの有無に基づいて、何れの車載機器のリモート操作が車両使用者に希望されているか否かを判別する。操作端末１２は、車両使用者による操作によって上記何れかのチェックボックスにチェックが入った状態で送信要求がなされると（ステップ１００）、そのチェックに対応する車載機器のリモート操作が要求されている旨をセンタ１４に通知すべくそのリモート操作指示を送受信機４２からセンタ１４に対して送信する（ステップ１０２）。
【００３１】
センタ１４は、リモート操作を要求するためのｗｅｂ画面を操作端末１２に提供した後に、その操作端末１２から送信されるリモート操作要求指示を送受信機５４で受信した場合（ステップ１２０）、リモート操作を行うべき車載機器を特定したうえで、その操作端末１２に対応する車両の車載機１０と通信ネットワークを介して無線通信接続して、操作端末１２における操作によって特定の車載機器のリモート操作が要求されていることを示すリモート操作コマンドをその車載機１０に対して送信する（ステップ１２２）。
【００３２】
車載機１０は、センタ１４からのリモート操作コマンドを受信した場合、そのリモート操作を行うべき車載機器を特定したうえで、そのリモート操作コマンドに基づく車載機器のリモート操作を実行する前に、まず、そのリモート操作を実施するうえで必要な前提条件が成立するか否かを確認する（ステップ１４０）。車載機器のリモート操作を実施するうえで必要な前提条件としては、例えば、車両でのリモート操作コマンドの受信時刻と車両使用者のリモート操作要求時刻（操作端末１２での入力操作時刻又はセンタ１４でのリモート操作要求受付時刻など）との差が所定時間未満であることや、相反するリモート操作（例えばウィンドウの開と閉）の要求がほぼ同時刻になされていないこと、車両での或いは車両周辺での直接的な車載機器の操作（ローカル操作）がほぼ同時刻になされていないこと、車両のイグニションスイッチやアクセサリスイッチがオン状態にないこと、車内に人や車両キーが存在しないこと、リモート操作の実行により実現しようとする車両状態と現車両状態とが同一でないことなどがある。
【００３３】
車載機１０は、上記の前提条件が成立することを確認すると、次に、車載ＥＣＵ２０からリモート操作コマンドに従ったリモート操作すべき車載機器の制御を管轄するＥＣＵに対して、その車載機器のリモート操作を実行するように指令を発する。かかる指令が行われると、ＥＣＵ２４〜３０は、それぞれのアクチュエータ３２〜３８を駆動することにより、車載機器のリモート操作を実行する（ステップ１４２）。
【００３４】
尚、車載機１０は、上記の前提条件が成立することを確認した後、リモート操作コマンドに基づく車載機器のリモート操作を実行する前に、所定時間（例えば２秒間）だけそのリモート操作が実行されることに対する注意喚起を実行することとしてもよい。この注意喚起は、すべての車載機器のリモート操作（本実施例では、具体的に、エンジン始動、ウィンドウ開閉、ドアロック・アンロック、及びハザードライトの点灯・消灯）のうち、車体上での物理的な動きを伴うリモート操作（本実施例では、例えば、ウィンドウ開又はウィンドウ閉）が実行される際にのみ行われるものとすれば十分であり、例えば、車両乗員に向けたブザーやスピーカによる所定の音声・警報出力、或いは、車両周囲の人に向けたホーンやブザー，外部スピーカによる所定の音声・警報出力などである。
【００３５】
そして、車載機１０は、上記の如くセンタ１４からのリモート操作コマンドに基づいて車載機器のリモート操作を実行した場合、そのリモート操作の結果（具体的にはそのリモート操作が正常に完了したか或いは正常に完了することなく終了したか）を判定し、その結果をセンタ１４に対して通知する（ステップ１４４）。センタ１４は、リモート操作コマンドを車載機１０に向けて送信した後にその車載機１０からリモート操作結果を通知された場合、その結果を受け付けたうえで（ステップ１２４）、メール等によりそのリモート操作結果を当該操作端末１２に対して通知する（ステップ１２６）。
【００３６】
操作端末１２は、センタ１４から通知されるリモート操作結果を受け取った場合、その結果を車両使用者に認識させるべく入出力部４４のディスプレイに表示し或いはスピーカから音声出力する（ステップ１０４）。この場合、操作端末１２を所持する車両使用者は、その操作端末１２を操作して車載機器のリモート操作を要求した後に、その操作端末１２での出力を見る或いは聞くことにより、そのリモート操作の結果を認知することが可能となる。
【００３７】
このように本実施例の遠隔操作システムにおいては、車両使用者により操作端末１２が操作されて操作端末１２からセンタ１４を経由して車両へリモート操作要求がなされることにより、車両に搭載された車載機器の遠隔的なリモート操作が実行される。このため、車両使用者は、車両に搭乗していなくてもまた車両から離れた場所においても操作端末１２を操作することにより車載機器を駆動させることが可能である。従って、本実施例のシステムによれば、車両使用者が降車前又は降車時に車載機器の手動操作を忘れていた場合等においても、操作端末１２を操作することで、車載機器を所望の状態へ移行させることが可能となっている。
【００３８】
また、本実施例の遠隔操作システムにおいては、車載機１０に対して車載機器のリモート操作が要求された後、そのリモート操作の結果が車載機１０からセンタ１４及び操作端末１２を経由して車両使用者に通知される。このため、車両使用者は、車載機器のリモート操作を要求した後に、車両においてそのリモート操作が正常に完了したか或いは正常に完了することなく終了したかを操作端末１２での表示出力や音声出力により知ることが可能である。
【００３９】
ところで、短期間のうちに同一の車載機器に対する相反するリモート操作要求や同一のリモート操作要求が複数の操作端末１２や同じ操作端末１２によりなされた場合に、これら複数のリモート操作要求のすべてに応答してそれぞれ車載機器のリモート操作を実行すべきものとすると、車載機器の状態が、結果として、操作端末１２で車載機器のリモート操作要求のための操作を行った者の意に反するものとなるおそれがある。
【００４０】
また、短期間のうちに車載機器のリモート操作要求が複数行われた場合に、これら複数のリモート操作要求のすべてに応答してそれぞれ車載機器のリモート操作を実行すべきものとすると、すべてのリモート操作を行うのに後発のリモート操作要求を示すコマンドをその実行時まで記憶することが必要となると共に、そのリモート操作を順序よく実行することが必要となるので、メモリ使用量の増大や制御ロジックの複雑化などの事態を招くこととなる。
【００４１】
そこで、本実施例のシステムは、かかる不都合を解決する点に特徴を有している。図３は、本実施例の遠隔操作システムにおいて操作端末１２の有する入出力部４４の表示画面上に映し出される表示内容の一例を示す。尚、図３（Ａ）には通常どおり車載機器のリモート操作の要求時のものを、また、図３（Ｂ）には車載機器のリモート操作の要求拒否時のものを、それぞれ示す。
【００４２】
本実施例において、操作端末１２は、ｗｅｂブラウザを起動した状態で車両使用者による所定操作によってセンタ１４から車載機器のリモート操作を要求するためのｗｅｂ画面を取得した後においては、そのｗｅｂ画面上で１以上の車載機器のリモート操作項目のチェックボックスにチェックが入った状態で送信要求のための操作がなされるまでは、図３（Ａ）に示す如く、入出力部４４の表示画面上に車載機器のリモート操作を要求するためのｗｅｂ画面を映し出しかつそのチェックボックスへのチェックを許容する表示を行う。かかる表示が行われている際は、車両使用者によるチェックボックスへのチェックが可能であり、車両使用者は希望どおりに車載機器のリモート操作を要求することが可能である。
【００４３】
一方、操作端末１２は、センタ１４から車載機器のリモート操作を要求するためのｗｅｂ画面を取得した後に、そのｗｅｂ画面上で１以上の車載機器のリモート操作項目のチェックボックスにチェックが入った状態で送信要求のための操作がなされた場合、或いは、その送信要求操作に従ってそのチェックに対応する車載機器のリモート操作が要求されている旨をセンタ１４に通知した場合は、以後、新たな車載機器のリモート操作の要求を拒否する。
【００４４】
例えば、上記送信要求のための操作がなされる或いは一旦車載機器のリモート操作が要求されている旨のセンタ１４への通知を行うと、それ以後、図３（Ｂ）に示す如く、車載機器のリモート操作を要求するためのｗｅｂ画面が映し出されている入出力部４４の表示画面上に「操作中、お待ち下さい。」などの文字や記号を重畳表示して、新たなリモート操作項目のチェックボックスへのチェックを不可能にし、或いは、チェックボックスへのチェックは許容するが送信要求のための操作を不可能にすることで、その操作画面への入力操作を禁止する。
【００４５】
このように車載機器のリモート操作の要求が操作端末１２において拒否されている際は、車両使用者によるチェックボックスへのチェックは不可能であり、車両使用者が新たに車載機器のリモート操作を要求することは不可能である。
【００４６】
また、操作端末１２は、上記の如き先の車載機器のリモート操作要求がなされた後における新たな車載機器のリモート操作の要求拒否を、車載機１０からセンタ１４を経由して当該先の車載機器のリモート操作要求に基づくリモート操作の結果通知を受け取るまで継続する。すなわち、先の車載機器のリモート操作要求がなされた後に車載機１０からセンタ１４を経由して当該先の車載機器のリモート操作要求に基づくリモート操作の結果通知を受け取るまでは、新たな車載機器のリモート操作の要求を拒否するが、先の車載機器のリモート操作要求に基づくリモート操作の結果通知を受け取ると、新たな車載機器のリモート操作の要求拒否を解除し、その後はそのリモート操作要求を受け付ける。
【００４７】
従って、本実施例のシステムにおいては、操作端末１２において一旦車載機器のリモート操作が要求された場合、以後、当該先のリモート操作要求がセンタ１４を経由して車両に対してなされそしてその車両においてその先のリモート操作要求に基づく車載機器のリモート操作の結果がセンタ１４を経由して操作端末１２に通知されるまでの期間は、操作端末１２において車両使用者による入力操作が禁止され、操作端末１２での新たな車載機器のリモート操作要求が拒否される。
【００４８】
かかる構成においては、一旦操作端末１２での操作により車載機器のリモート操作要求がなされた後の所定期間は、別の新たな車載機器のリモート操作要求が操作端末１２からセンタ１４へなされることはなく、その結果として、その期間での新たな要求に基づく車載機器のリモート操作が車両において実行されることは回避される。
【００４９】
このため、車両使用者が短期間のうちに不意に複数のリモート操作を要求する操作端末１２の操作を行おうとしても、後発のリモート操作要求は拒否されるので、車載機器の状態が車両使用者の意に反するものとなるのを抑制することができる。また、一旦車載機器のリモート操作要求がなされた後の新たな車載機器のリモート操作要求の拒否は操作端末１２での入力操作が禁止されることで操作端末１２において行われるので、その新たに車載機器のリモート操作が要求される旨の通知を操作端末１２からセンタ１４へ行うことは不要であり、これにより、操作端末１２とセンタ１４との間並びにセンタ１４と車載機１０との間における通信量及び通信料金を含む通信負担が軽減され、無駄な通信を削減することが可能となっている。
【００５０】
また、一旦車載機器のリモート操作を要求する操作が操作端末１２においてなされてから、当該先のリモート操作要求に基づくリモート操作結果が車両からセンタ１４を経由して操作端末１２に通知されてその通知が操作端末１２に受信されるまでは、操作端末１２での入力操作が禁止されて新たな車載機器のリモート操作要求が拒否されるので、操作端末１２がリモート操作要求のコマンドを複数同時に記憶することは不要であり、センタ１４が操作端末１２からのリモート操作要求のコマンドを複数同時に記憶することは不要であり、また、車載機１０がセンタ１４からのリモート操作コマンドを複数同時に記憶することは不要である。このため、本実施例によれば、操作端末１２、センタ１４、及び車載機１０においてリモート操作要求のためのコマンドを記憶するうえでのメモリ使用量の削減を図ることができ、また、操作端末１２がリモート操作要求をセンタ１４へ向けて通知するうえで、センタ１４がリモート操作コマンドを車載機１０へ向けて送信するうえで、かつ車載機１０が車載機器のリモート操作を実施するうえで、それぞれ制御ロジックの簡略化を図ることが可能となっている。
【００５１】
このように、本実施例の遠隔操作システムによれば、短期間に複数のリモート操作要求がなされようとしても複数のうちの後発のリモート操作要求を拒否するので、従って、操作端末１２での操作に基づく車載機器のリモート操作の実行を簡素な構成で適切に行うことが可能となっている。
【００５２】
また、本実施例の遠隔操作システムにおいて、上記の如く、一旦操作端末１２での操作により車載機器のリモート操作要求がなされた後の所定期間は、新たな車載機器のリモート操作要求が操作端末１２において拒否されるが、かかる拒否は先の車載機器のリモート操作要求が操作端末１２においてなされた直後から操作端末１２での入力操作が禁止されることにより開始される。このため、かかるシステムによれば、一旦操作端末１２での操作により車載機器のリモート操作要求がなされた後、速やかに新たな車載機器のリモート操作要求が拒否される旨を車両使用者に知らせることができ、これにより、拒否されるべき新たな車載機器のリモート操作要求を車両使用者が行おうとするのを抑止することが可能となっている。
【００５３】
尚、上記の第１実施例においては、遠隔操作システムを、車両に搭載される車載機１０と、車両使用者に携帯される操作端末１２と、情報管理を行うセンタ１４とにより構成するものとしたが、本発明はこれに限定されるものではなく、センタ１４を有さない車載機１０と操作端末１２とにより構成されるシステムに適用することとしてもよい。この変形例においては、一旦車載機器のリモート操作要求がなされた後の新たな車載機器のリモート操作要求の拒否を、当該先の車載機器のリモート操作要求が操作端末１２においてなされてから、その先の車載機器のリモート操作要求を車両が受け付けてそのリモート操作を実行した結果として操作端末１２に通知すべきリモート操作結果の通知を操作端末１２が受信するまでの期間だけ行うこととすればよい。かかる構成においても、先の車載機器のリモート操作要求がなされた後の所定期間、新たな車載機器のリモート操作要求は拒否されるので、上記の第１実施例のシステムと同様に、操作端末１２での操作に基づく車載機器のリモート操作の実行を簡素な構成で適切に行うことが可能となる。
【実施例２】
【００５４】
上記した第１実施例では、一旦車載機器のリモート操作要求がなされた後の新たな車載機器のリモート操作要求の拒否を、車両使用者の所持する操作端末１２において行うこととしている。これに対して、本発明の第２実施例においては、その拒否を車載機１０において行うこととしている。図４は、本実施例の遠隔操作システムにおいて実行される制御ルーチンの一例のフローチャートを示す。尚、図４において、上記図２に示すルーチンと同一の処理を実行するステップについては、同一の符号を付してその説明を省略する。
【００５５】
上述の如く、操作端末１２は、センタ１４から車載機器のリモート操作を要求するためのｗｅｂ画面を取得した後に、そのｗｅｂ画面上で１以上の車載機器のリモート操作項目のチェックボックスにチェックが入った状態で送信要求のための操作がなされると、そのチェックに対応する車載機器のリモート操作が要求されている旨をセンタ１４に通知する。また、センタ１４は、操作端末１２からのリモート操作要求指示を受信すると、その操作端末１２に対応する車両の車載機１０と通信ネットワークを介して無線通信接続したうえで、操作端末１２における操作によって特定の車載機器のリモート操作が要求されていることを示すリモート操作コマンドをその車載機１０に対して送信する。
【００５６】
本実施例において、車載機１０は、センタ１４からのリモート操作コマンドを受信すると、上述の如く、そのリモート操作コマンドに基づく車載機器のリモート操作を実行する前に、そのリモート操作を実施するうえで必要な前提条件が成立するか否かを確認する処理を実行するが、そのセンタ１４からのリモート操作コマンドを受信した場合は、以後、新たな車載機器のリモート操作要求を拒否する。すなわち、再度センタ１４から新たな車載機器のリモート操作が要求されていることを示すリモート操作コマンドを受信しても、その新たなリモート操作の要求を受け付けない。
【００５７】
このように車載機器のリモート操作の要求が車載機１０において拒否されている際は、操作端末１２での車両使用者によるチェックボックスへのチェックは可能であり、車両使用者が操作端末１２を操作して新たに車載機器のリモート操作を要求することは可能であっても、実質的に新たな車載機器のリモート操作の要求は不可能である。
【００５８】
また、車載機１０は、上記の如き先の車載機器のリモート操作要求がなされた後における新たな車載機器のリモート操作の要求拒否を、当該先の車載機器のリモート操作要求に基づくリモート操作が車両において実行されている間は継続する。すなわち、先の車載機器のリモート操作要求がセンタ１４からなされた後にその先の車載機器のリモート操作要求に基づくリモート操作が完了するまでは、新たな車載機器のリモート操作の要求を拒否するが、先の車載機器のリモート操作要求に基づくリモート操作が完了すると、新たな車載機器のリモート操作の要求拒否を解除し、その後はそのリモート操作要求を受け付ける。
【００５９】
従って、本実施例のシステムにおいては、一旦センタ１４から送信された車載機器のリモート操作を要求するコマンドが車載機１０に受信された場合、以後、車載機１０において当該先のリモート操作要求に基づくリモート操作が完了するまでの期間は、その車載機１０においてセンタ１４からの新たな車載機器のリモート操作要求が拒否される。
【００６０】
かかる構成においては、一旦操作端末１２での操作により車載機器のリモート操作要求がなされた後の所定期間は、別の新たな車載機器のリモート操作要求が操作端末１２からセンタ１４へなされたとしても、車両においてその新たなリモート操作要求に基づくリモート操作が実行されることは回避される。このため、車両使用者が短期間のうちに不意に複数のリモート操作を要求する操作端末１２の操作を行ったとしても、後発のリモート操作要求は拒否されるので、車載機器の状態が車両使用者の意に反するものとなるのを抑制することができる。
【００６１】
また、一旦センタ１４から送信された車載機器のリモート操作を要求するコマンドが車載機１０に受信されてから、当該先のリモート操作要求に基づくリモート操作が車両において完了するまでは、その車両において新たな車載機器のリモート操作要求が拒否されるので、車載機１０がセンタ１４からのリモート操作コマンドを複数同時に記憶することは不要である。このため、本実施例によれば、車載機１０においてリモート操作要求のためのコマンドを記憶するうえでのメモリ使用量の削減を図ることができ、また、車載機１０が車載機器のリモート操作を実施するうえで、それぞれ制御ロジックの簡略化を図ることが可能となっている。
【００６２】
このように、本実施例の遠隔操作システムによれば、短期間に複数のリモート操作要求がなされてもそれら複数のうち後発のリモート操作要求を拒否するので、従って、操作端末１２での操作に基づく車載機器のリモート操作の実行を簡素な構成で適切に行うことが可能となっている。
【００６３】
更に、一般に、操作端末１２において車載機器のリモート操作要求のための操作が行われてからその要求を示すコマンドが車載機１０に受信されるまで、並びに、車載機器のリモート操作結果が車載機１０から送信されてからその結果が操作端末１２に受信されるまでは、操作端末１２とセンタ１４との間の通信並びにセンタ１４と車両との間の通信による時間差が生ずる。
【００６４】
このため、本実施例のシステムにおいては、上記した第１実施例のシステムと異なり、一旦車載機器のリモート操作を要求する操作が操作端末１２においてなされた後、そのリモート操作要求に基づくリモート操作結果が車両からセンタ１４を経由して操作端末１２に通知されてその通知が操作端末１２において受信される前に、操作端末１２において新たな車載機器のリモート操作要求がなされたときであっても、その新たな車載機器のリモート操作要求に基づいてセンタ１４から車載機１０へ送信されるリモート操作コマンドが車載機１０に受信される時刻が先のリモート操作要求に基づくリモート操作が車両において完了した後であれば、その新たな車載機器のリモート操作要求に基づくリモート操作が車両において実行される。従って、本実施例のシステムによれば、先の車載機器のリモート操作要求がなされた後における新たな車載機器のリモート操作要求を拒否する期間を、実質的に上記した第１実施例のシステムに比べて短縮することが可能となっている。
【００６５】
また、本実施例の遠隔操作システムにおいて、先の車載機器のリモート操作要求がなされた後における新たな車載機器のリモート操作要求の拒否は車両において行われるが、その拒否が開始された際には、車載機１０は、その新たな後発の車載機器のリモート操作要求を拒否した旨を車両使用者に知らせるべくその旨を示す情報をセンタ１４へ送信する。センタ１４は、車載機１０からの車載機器のリモート操作要求を拒否した旨の情報を受信した場合、その情報を受け付けたうえで、メール等により車載機器のリモート操作要求を拒否した旨の情報を当該操作端末１２に対して送信する。そして、操作端末１２は、車載機器のリモート操作を要求する旨の指示をセンタ１４に送信した後にセンタ１４から拒否通知を受けた場合、その拒否を車両使用者に認識させるべく入出力部４４のディスプレイに表示し或いはスピーカから音声出力する。
【００６６】
従って、本実施例の遠隔操作システムにおいては、先の車載機器のリモート操作要求がなされた後に新たな車載機器のリモート操作要求が拒否された場合は、その拒否が車載機１０からセンタ１４及び操作端末１２を経由して車両使用者に通知される。このため、車両使用者は、車載機器のリモート操作を要求した後に不意に或いは意識的に新たに車載機器のリモート操作を要求した状況において、その新たな車載機器のリモート操作要求が拒否された場合に、その旨を操作端末１２での表示出力や音声出力により知ることができ、この点で、本実施例のシステムは、現実の車載機器の状態と車両使用者が認識する車載機器の状態との間にずれが生ずるのを防止することが可能となっていると共に、拒否されるべき新たな車載機器のリモート操作要求を車両使用者が行おうとするのを抑止することが可能となっている。
【００６７】
尚、上記の第２実施例においては、遠隔操作システムを、車両に搭載される車載機１０と、車両使用者に携帯される操作端末１２と、情報管理を行うセンタ１４とにより構成するものとしたが、本発明はこれに限定されるものではなく、センタ１４を有さない車載機１０と操作端末１２とにより構成されるシステムに適用することとしてもよい。この変形例においては、一旦車載機器のリモート操作要求がなされた後における新たな車載機器のリモート操作要求の拒否を、当該先の車載機器のリモート操作要求を示すコマンドが車載機１０に受信されてから、その先のリモート操作要求に基づくリモート操作が車両において完了するまでの期間だけ行うこととすればよい。かかる構成においても、先の車載機器のリモート操作要求がなされた後の所定期間、新たな車載機器のリモート操作要求は拒否されるので、上記したシステムと同様に、操作端末１２での操作に基づく車載機器のリモート操作の実行を簡素な構成で適切に行うことが可能となる。
【００６８】
また、上記の第２実施例においては、先の車載機器のリモート操作要求がなされた後における新たな車載機器のリモート操作の要求拒否を、先の車載機器のリモート操作要求に基づくリモート操作が車載機１０において完了した場合に解除することとしているが、本発明はこれに限定されるものではなく、先の車載機器のリモート操作要求に基づくリモート操作を実行する前にそのリモート操作を実施するうえで必要な前提条件が成立するか否かを確認した結果として、その前提条件が成立すると判定した場合に解除することとしてもよい。すなわち、車載機１０は、先の車載機器のリモート操作要求がセンタ１４からなされた後にその先の車載機器のリモート操作要求に基づくリモート操作を実施するうえで必要な前提条件が成立するまでは、新たな車載機器のリモート操作の要求を拒否するが、上記の前提条件が成立すると、新たな車載機器のリモート操作の要求拒否を解除し、その後はそのリモート操作要求を受け付ける。
【実施例３】
【００６９】
上記した第１実施例では、一旦車載機器のリモート操作要求がなされた後の新たな車載機器のリモート操作要求の拒否を、車両使用者の所持する操作端末１２において行うこととし、また、上記した第２実施例では、その拒否を、車載機器を搭載する車両において行うこととしている。これに対して、本発明の第３実施例においては、その拒否を車載機１０において行うこととしている。図５は、本実施例の遠隔操作システムにおいて実行される制御ルーチンの一例のフローチャートを示す。尚、図５において、上記図２に示すルーチンと同一の処理を実行するステップについては、同一の符号を付してその説明を省略する。
【００７０】
上述の如く、操作端末１２は、センタ１４から車載機器のリモート操作を要求するためのｗｅｂ画面を取得した後に、そのｗｅｂ画面上で１以上の車載機器のリモート操作項目のチェックボックスにチェックが入った状態で送信要求のための操作がなされると、そのチェックに対応する車載機器のリモート操作が要求されている旨をセンタ１４に通知する。
【００７１】
本実施例において、センタ１４は、操作端末１２からのリモート操作要求指示を受信すると、上述の如く、操作端末１２における操作によって特定の車載機器のリモート操作が要求されていることを示すリモート操作コマンドを無線通信接続した対応の車載機１０に対して送信するが、操作端末１２からのリモート操作要求指示を受信した場合、或いは、その指示に従って車載機器のリモート操作を要求するコマンドを車載機１０に送信した場合は、以後、新たな車載機器のリモート操作の要求を拒否する。すなわち、再度、操作端末１２から新たな車載機器のリモート操作が要求されていることを示すリモート操作要求指示を受信しても、その新たなリモート操作の要求を受け付けない。
【００７２】
このように車載機器のリモート操作の要求がセンタ１４において拒否されている際は、操作端末１２での車両使用者によるチェックボックスへのチェックは可能であり、車両使用者が操作端末１２を操作して新たに車載機器のリモート操作を要求することは可能であっても、実質的に新たな車載機器のリモート操作の要求は不可能である。
【００７３】
また、センタ１４は、上記の如き先の車載機器のリモート操作要求がなされた後における新たな車載機器のリモート操作の要求拒否を、車載機１０から当該先の車載機器のリモート操作要求に基づくリモート操作の結果通知を受け取るまで継続する。すなわち、先の車載機器のリモート操作要求がなされた後に車載機１０から当該先の車載機器のリモート操作要求に基づくリモート操作の結果通知を受け取るまでは、新たな車載機器のリモート操作の要求を拒否するが、先の車載機器のリモート操作要求に基づくリモート操作の結果通知を受け取ると、新たな車載機器のリモート操作の要求拒否を解除し、その後はそのリモート操作要求を受け付ける。
【００７４】
従って、本実施例のシステムにおいては、一旦操作端末１２から送信された車載機器のリモート操作指示がセンタ１４に受信された場合あるいはその指示に従って車載機器のリモート操作を要求するコマンドがセンタ１４から車両へ送信された場合、以後、当該先のリモート操作要求が車両に対してなされそしてその車両においてその先のリモート操作要求に基づく車載機器のリモート操作の結果がセンタ１４に通知されるまでの期間は、センタ１４において操作端末１２からの新たな車載機器のリモート操作要求が拒否される。
【００７５】
かかる構成においては、一旦操作端末１２での操作により車載機器のリモート操作要求がなされた後の所定期間は、別の新たな車載機器のリモート操作要求が操作端末１２からセンタ１４へなされたとしても、車両においてその新たなリモート操作要求に基づくリモート操作が実行されることは回避される。
【００７６】
このため、車両使用者が短期間のうちに不意に複数のリモート操作を要求する操作端末１２の操作を行ったとしても、後発のリモート操作要求は拒否されるので、車載機器の状態が車両使用者の意に反するものとなるのを抑制することができる。また、一旦車載機器のリモート操作要求がなされた後の新たな車載機器のリモート操作要求の拒否はセンタ１４において行われるので、その新たに車載機器のリモート操作が要求される旨の通知をセンタ１４から車両へ行うことは不要であり、これにより、センタ１４と車載機１０との間における通信量及び通信料金を含む通信負担が軽減され、無駄な通信を削減することが可能となっている。
【００７７】
また、一旦操作端末１２から送信された車載機器のリモート操作を要求する指示がセンタ１０に受信されてから或いはその指示に従って車載機器のリモート操作を要求するコマンドがセンタ１４から車両へ送信されてから、当該先のリモート操作要求に基づくリモート操作結果が車両からセンタ１４に通知されてその通知がセンタ１４に受信されるまでは、新たな車載機器のリモート操作要求が拒否されるので、センタ１４が操作端末１２からのリモート操作要求のコマンドを複数同時に記憶することは不要であり、また、車載機１０がセンタ１４からのリモート操作コマンドを複数同時に記憶することは不要である。このため、本実施例によれば、センタ１４及び車載機１０においてリモート操作要求のためのコマンドを記憶するうえでのメモリ使用量の削減を図ることができ、また、センタ１４がリモート操作コマンドを車載機１０へ向けて送信するうえでかつ車載機１０が車載機器のリモート操作を実施するうえで、それぞれ制御ロジックの簡略化を図ることが可能となっている。
【００７８】
このように、本実施例の遠隔操作システムによれば、短期間に複数のリモート操作要求がなされてもそれら複数のうち後発のリモート操作要求を拒否するので、従って、操作端末１２での操作に基づく車載機器のリモート操作の実行を簡素な構成で適切に行うことが可能となっている。
【００７９】
更に、一般に、操作端末１２からの車載機器のリモート操作を要求する指示がセンタ１０に受信されてから或いはその指示に従って車載機器のリモート操作を要求するコマンドがセンタ１４から車両へ送信されてから、その要求を示すコマンドが車載機１０に受信されるまで、並びに、車載機器のリモート操作結果が車載機１０から送信されてからその結果がセンタ１４に受信されるまでは、センタ１４と車両との間の通信による遅れ時間が生ずる。
【００８０】
このため、本実施例のシステムにおいては、上記した第１実施例のシステムと異なり、一旦車載機器のリモート操作を要求する操作が操作端末１２においてなされた後、そのリモート操作要求に基づくリモート操作結果が車両からセンタ１４を経由して操作端末１２に通知されてその通知が操作端末１２において受信される前に、操作端末１２において新たな車載機器のリモート操作要求がなされたときであっても、その新たな車載機器のリモート操作要求に基づいて操作端末１２から送信されるリモート操作指示がセンタ１４に受信される時刻が車載機１０からの先のリモート操作要求に基づくリモート操作の結果がセンタ１４に受信された後であれば、その新たな車載機器のリモート操作要求に基づくリモート操作が車両において実行される。従って、本実施例のシステムによれば、先の車載機器のリモート操作要求がなされた後における新たな車載機器のリモート操作要求を拒否する期間を、実質的に上記した第１実施例のシステムに比べて短縮することが可能となっている。
【００８１】
また、本実施例の遠隔操作システムにおいて、先の車載機器のリモート操作要求がなされた後における新たな車載機器のリモート操作要求の拒否はセンタ１４において行われるが、その拒否が開始された際には、センタ１４は、その新たな後発の車載機器のリモート操作要求を拒否した旨を車両使用者に知らせるべくその旨を示す情報を操作端末１２へ送信する。操作端末１２は、車載機器のリモート操作を要求する旨の指示をセンタ１４に送信した後にセンタ１４からの車載機器のリモート操作要求を拒否した旨の情報を受信した場合、その情報を受け付けたうえで、その拒否を車両使用者に認識させるべく入出力部４４のディスプレイに表示し或いはスピーカから音声出力する。
【００８２】
従って、本実施例の遠隔操作システムにおいては、先の車載機器のリモート操作要求がなされた後に新たな車載機器のリモート操作要求が拒否された場合は、その拒否がセンタ１４から操作端末１２を経由して車両使用者に通知される。このため、車両使用者は、車載機器のリモート操作を要求した後に不意に或いは意識的に新たに車載機器のリモート操作を要求した状況において、その新たな車載機器のリモート操作要求が拒否された場合に、その旨を操作端末１２での表示出力や音声出力により知ることができ、この点で、本実施例のシステムは、現実の車載機器の状態と車両使用者が認識する車載機器の状態との間にずれが生ずるのを防止することが可能となっていると共に、拒否されるべき新たな車載機器のリモート操作要求を車両使用者が行おうとするのを抑止することが可能となっている。
【００８３】
尚、上記の第１及び第３実施例においては、リモート操作結果の通知が特許請求の範囲に記載した「応答通知」に相当している。
【００８４】
ところで、上記の第１及び第３実施例においては、一旦先の車載機器のリモート操作要求がなされた後の新たな車載機器のリモート操作要求の拒否を、先の車載機器のリモート操作を実行した結果として車載機１０が送信するリモート操作結果通知をセンタ１４又は操作端末１２が受信するまでの期間継続し、その受信がなされた場合に解除することとしているが、本発明はこれに限定されるものではなく、車載機１０又はセンタ１４が先の車載機器のリモート操作要求を受信した直後にその要求を正常に受け付けたことを示す受付応答結果をセンタ１４又は操作端末１２へ返信することとし、その受付応答結果の通知をセンタ１４又は操作端末１２が受信するまで上記の新たな車載機器のリモート操作要求を拒否することとしてもよい。この場合には、この受付応答結果の通知が特許請求の範囲に記載した「応答通知」に相当する。
【００８５】
また、上記の第１乃至第３実施例においては、エンジン始動、ウィンドウの開閉、車両ドアのロック・アンロック、及びハザードライトの点灯・消灯を、車載機器のリモート操作の対象としているが、例えば車両ドアやトランク，スライドルーフの開閉、ホーンやブザーによる警報或いはその警報解除、セキュリティセットなどをリモート操作の対象とすることとしてもよい。
【００８６】
更に、上記の第１乃至第３実施例においては、操作端末１２を車両使用者が携帯・所持するものとしたが、車両使用者が常に携帯・所持しない公衆電話や自宅の固定電話等を用いることとしてもよい。この場合は、操作端末１２がセンタ１４と通信接続した状態で予め定められた所定のボタン入力が行われることによって操作端末１２からセンタ１４へ車載機器のリモート操作を要求するものであればよい。
【図面の簡単な説明】
【００８７】
【図１】本発明の第１実施例である遠隔操作システムの構成図である。
【図２】本実施例のシステムにおいてセンタが実行する制御ルーチンのフローチャートである。
【図３】本実施例の遠隔操作システムにおいて操作端末の有する表示画面上に映し出される表示内容の一例である。
【図４】本発明の第２実施例である遠隔操作システムにおいて実行される制御ルーチンのフローチャートである。
【図５】本発明の第３実施例である遠隔操作システムにおいて実行される制御ルーチンのフローチャートである。
【符号の説明】
【００８８】
１０  車載機
１２  操作端末
１４  センタ
【図１】
2007074017.tif 000003
【図２】
2007074017.tif 000004
【図３】
2007074017.tif 000005
【図４】
2007074017.tif 000006
【図５】
2007074017.tif 000007